(57)【特許請求の範囲】
【請求項１】
ベース上を仕切板により機械室と熱交換室とに区画し、前記機械室の前面側から順次、圧縮機とアキュームレータを夫々配設する一方、前記熱交換室に熱交換器と送風ファンとを配設し、前記ベースの前面側に吹出口を形成した前面パネルを設け、前記ベースの両側に側面パネルを夫々設け、これら前面パネルと側面パネルとに天板を被着して本体を構成してなる空気調和機の室外機において、
前記機械室側の側面パネルの一側を本体の背面側まで延出し折曲部によりＬ字状に折曲して形成する一方、同機械室側の側面パネルの下方に配管カバーを着脱自在に設け、前記アキュームレータを前記折曲部近傍に配置するとともにアキュームレータ固定具を介して前記ベース上に固定し、同アキュームレータ固定具の上部に支持片を形成し、前記機械室側の側面パネルの前記折曲部近傍となる下縁部に、前記支持片に支持される被支持部を設けてなることを特徴とする空気調和機の室外機。
【請求項２】
前記アキュームレータ固定具は下面部と垂直部と上面部とからなり、同アキュームレータ固定具を前記ベースに取付けると、前記機械室側に位置する側面パネル側が開放された断面コ字状となるように形成され、これら下面部と垂直部と上面部とで囲まれた空間に配管が通過する通路を形成してなることを特徴とする請求項１に記載の空気調和機の室外機。
【請求項３】
前記アキュームレータ固定具の下面部と垂直部と上面部の夫々の両側には、フランジが形成され、同フランジは互いに重なるように形成されていることを特徴とする請求項１または請求項２に記載の空気調和機の室外機。
【発明の詳細な説明】
【技術分野】
【０００１】
本発明は、空気調和機の室外機に関わり、より詳細には、配管接続部側に位置し、大型化した右側パネルの保持強度を高める構成に関するものである。
【背景技術】
【０００２】
複数の室内機が接続される熱交換容量が大きい空気調和機の室外機は、屋上等に複数台が横方向あるいは縦方向に近接した状態で並べて設置される場合が多く、通常は本体の側板から突出している配管接続部が連続設置の障害とならないように本体内に収納されている。また、配管接続の自由度を高める為、配管は本体の前面側、側面側あるいは後面側に導出可能となっており、配管接続部側の側面パネルの下方には、着脱自在に配管カバーが設けられている。また、管接続部側の側面パネルの前縁と本体の仕切板とは、複数の操作弁が取付けられた支持部材としてのステーにより連結され、配線カバーが外されても、右側パネルを所定位置に維持するようになっている。
【０００３】
しかしながら、本体の仕切板と管接続部側の側面パネルとを連結するステーの強度は充分とはいえず、設置作業時あるいはメンテナンス作業時に配管カバーを本体から外すと、大型化した側面パネルが自重により下方に沈みこみ、再び配管カバーを本体に装着しようとしても、側面パネルを上方に持ち上げないと配管カバーが所定箇所に嵌まらなかったり、あるいは配管カバーの螺子挿通孔と側面パネルの螺子孔とにズレが生じて装着作業に支障が生じる場合があった。
【０００４】
上記した問題に対処する為、例えば図６で示す空気調和機の室外機３０は、ベース３１と側面パネル３３との間に保持部材３４を設けている。同保持部材３４は、ベース３１に固定される基部３４ａと、同基部３４ａの一端を上方に折曲した側部３４ｂと、同側部３４ｂの上端を水平状に折曲した支持部３４ｃとから断面コ字状に形成され、支持部３４ｃを側面パネル３３の前端下部に螺子３６により固定するようになっており、これにより、図示しない配管カバーを外しても、側面パネル３３を保持部材３４が下方から支持するようになっている。尚、基部３４ａと側部３４ｂと支持部３４ｃとで囲まれた空間を接続配管３５が通過するようになっている（特許文献１参照）。
【０００５】
更に、保持部材３４を、圧縮機３２と接続配管３５との間に設けることにより、圧縮機３２と接続配管３５との接触を防止し、接続配管３５から振動及び騒音が発生することを防止するようになっている。
【０００６】
しかしながら、保持部材３４は、圧縮機３２と接続配管３５との接触を防止する為、側面パネル３３の前縁部に位置している。通常、大型室外機の配管接続部側の側面パネルは本体の側面から背面に廻り込むＬ字形状に折曲されて形成される場合が多く、重心位置が折曲部近傍に位置している。この為、側面パネルは上述したように、前縁を仕切板との間に架け渡されたステーにより支持されるとともに、本体の背面に廻りこんだ後縁をベースに螺子止め固定されているが、これらでは側面パネル折曲部近傍の自重による沈み込みを的確に防止することができなかった。
【０００７】
側面パネルの自重による沈み込みを防ぐ為には、例えば、折曲部位近傍に側面パネルを支持する支柱を立てる必要があるが、このように新たな支持部材を追加すると、室外機の組立コストが増加する一方、室外機の設置作業時、あるいはメンテナンスの配管作業時等に支柱が作業の障害になる虞があった。
【先行技術文献】
【特許文献】
【０００８】
【特許文献１】特開２００９−４１８４６号（３頁、図１）
【発明の概要】
【発明が解決しようとする課題】
【０００９】
本発明は、上記問題点に鑑み、Ｌ字形状に形成された側面パネルの折曲部近傍を支持することにより、配管カバーを本体から外した際、側面パネルの自重による沈み込みを的確に防止できる一方、新たな保持部材を不要として組立コストの上昇を抑制することができる空気調和機の室外機を提供することを目的とする。
【課題を解決するための手段】
【００１０】
本発明は、上記課題を解決するため、  ベース上を仕切板により機械室と熱交換室とに区画し、前記機械室の前面側から順次、圧縮機とアキュームレータを夫々配設する一方、前記熱交換室に熱交換器と送風ファンとを配設し、前記ベースの前面側に吹出口を形成した前面パネルを設け、前記ベースの両側に側面パネルを夫々設け、これら前面パネルと側面パネルとに天板を被着して本体を構成してなる空気調和機の室外機において、前記機械室側の側面パネルの一側を本体の背面側まで延出し折曲部によりＬ字状に折曲して形成する一方、同機械室側の側面パネルの下方に配管カバーを着脱自在に設け、前記アキュームレータを前記折曲部近傍に配置するとともにアキュームレータ固定具を介して前記ベース上に固定し、同アキュームレータ固定具の上部に支持片を形成し、前記機械室側の側面パネルの前記折曲部近傍となる下縁部に、前記支持片に支持される被支持部を設けてなる構成となっている。
【００１１】
また、前記アキュームレータ固定具は下面部と垂直部と上面部とからなり、同アキュームレータ固定具を前記ベースに取付けると、前記機械室側に位置する側面パネル側が開放された断面コ字状となるように形成され、これら下面部と垂直部と上面部とで囲まれた空間に配管が通過する通路を形成した構成となっている。
【００１２】
また、  前記アキュームレータ固定具の下面部と垂直部と上面部の夫々の両側には、フランジが形成され、同フランジは互いに重なるように形成されている構成となっている。
【発明の効果】
【００１３】
本発明によれば、機械室側の側面パネルの下方に位置する配管カバーを本体から外した際、重量がある側面パネルは自重により沈み込もうとするが、側面パネルに形成された被支持部をアキュームレータ固定具に支持されることにより、自重による側面パネルの下方への沈み込みを防止して、再び配管カバーを本体に装着する際、配線カバーが本体に嵌まらなかったり、螺子孔がずれる等の不具合を防止できるようになっている。
【００１４】
また、アキュームレータ固定具が、側面パネル側が開放された断面コ字状に形成されることにより、配管作業を支障なく行なえるようになっている。
【００１５】
また、アキュームレータ固定具には夫々、互いに重なるように接続されてフランジが形成されることにより、上下方向の圧縮応力に対し更に強度が増加するようになっており、上面部に掛かる応力を、夫々のフランジが受け止めることができるようになっている。
【図面の簡単な説明】
【００１６】
【図１】本発明による空気調和機の室外機を示す外観斜視図である。
【図２】本発明による空気調和機の室外機の分解斜視図である。
【図３】本発明による空気調和機の室外機の要部斜視図である。
【図４】アキュームレータの固定具を示す斜視図である。
【図５】本発明による空気調和機の室外機の要部斜視図である。
【図６】従来の空気調和機の室外機を示す要部斜視図である。
【発明を実施するための形態】
【００１７】
以下、本発明の実施の形態を、添付図面に基づいた実施例として詳細に説明する。
【実施例１】
【００１８】
本発明による空気調和機の室外機は、図１の外観斜視図で示すように、下面に一対の脚体１ａを備えたベース１と、同ベース１の前面側に立設されて、ファンガード３ａを備えた上部吹出口２ａを設けるとともに、ファンガード３ｂを備えた下部吹出口２ｂを設けた前面パネル２と、ベース１において後述する機械室１１側に立設される側面パネルとしての右側パネル５と、ベース１の後述する熱交換室１２側に立設される側面パネルとしての左側パネルと、これら前面パネル２と、右側パネル５と、左側パネルとの上面に被着され、補強用のビード４ａを形成した天板４と、前面パネル２の右側に位置するとともに、手掛６ａを備え着脱自在に装着されたサービスパネル６とで本体を構成しており、サービスパネル６の下方には前部配管カバー７が、右側パネル５の下方には側部配管カバー８が夫々着脱自在に装着されている。
【００１９】
上記した空気調和機の室外機は、複数の室内機が配管により接続される熱交換容量が大きい多室型の室外機であり、屋上等に複数台が横方向あるいは縦方向に、近接した状態で並べて設置される場合が多い。この為、本体設置の障害とならないよう通常は本体の外部に突出している配管接続部が本体内に収納され、また、前部配管カバー７を外すと本体の前面から配線作業することができ、側部配管カバー８を外すと、本体の側面から配管作業することが可能となっている。
【００２０】
次に、本体の内部構成について説明する。図２の分解斜視図で示すように、板金からなるベース１上は、前後に延びる仕切板１０により左右に区画され、区画された一方に機械室１１が、区画された他方に熱交換室１２が夫々、形成されている。機械室１１の前方には冷媒の圧縮を行う圧縮機１３及び配管に接続された操作弁ユニット１９が配設されるとともに、後方には圧縮機１３に接続される後述するアキュームレータ２０が配設されている。また、機械室１１の上方には、電源基板、複数の制御基板等を備えた電装ユニット１８が配設されている。
【００２１】
本体の前面に設けられたサービスパネル６を外すことにより、圧縮機１３、接続配管や操作弁ユニット１９及び上方に位置する電装ユニット１８のメンテナンス作業が行え、また、冷媒の充填作業等も行えるようになっている。
【００２２】
仕切板１０により区画された熱交換室１２の背面側には、平行に並べられた多数のフィンと、同フィンに直交するように配設された伝熱管とからなり、Ｌ字状に折曲された室外熱交換器１４が設けられている。また、同室外熱交換器１４の前面には送風ファン取付台１５が立設されており、同送風ファン取付台１５には、図示しない上部ファンモータと、同上部ファンモータに軸支された上部プロペラファン１６と、図示しない下部ファンモータと、同下部ファンモータに軸支された下部プロペラファン１７とが支持されている。
【００２３】
室外熱交換器１２の前面には、円形状の上部吹出口２ａと下部吹出口２ｂとを形成した前面パネル２が装着され上部吹出口２ａと下部吹出口２ｂの裏面には、上部プロペラファン１６と下部プロペラファン１７とを保護する、図示しない円環状のファンリングが形成されている。
【００２４】
上部ファンモータ及び下部ファンモータにより、上部プロペラファン１６と下部プロペラファン１７とが駆動されると、屋外の空気は本体の背面から吸入され、室外熱交換器１４を通過することにより同室外熱交換器１４内を流れる冷媒と熱交換する。熱交換された空気は、上部吹出口２ａ及び下部吹出口２ｂから屋外に排出され、熱交換器１４の伝熱管を通過して空気流と熱交換した冷媒は配管を介して、図示しない室内機との間で循環し、室内の空調を行うようになっている。
【００２５】
機械室１１の後方には、図３の要部斜視図で示すように、有底円筒状に形成され圧縮機１３及び外部配管に接続されるアキュームレータ２０が配置され。同アキュームレータ２０の半球状に形成された底部をベース１に固定された断面コ字状のアキュームレータ固定具２１上に載置するようになっている。また、機械室１１側の側面パネルとしての右側パネル５は、同右側パネル５の前縁下部を、仕切板１０との間に掛け渡され操作弁ユニット１９が取付けられたステー２３により支持されるようになっており、同ステー２３は左側端２３ａを仕切板１０に固定し右側端２３ｂを右側パネル５の前面側下部に穿設された係止孔５ａに係止させて右側パネル５の前面側を支持するようになっている。尚、右側パネル５は前縁上部を、仕切板１０との間に掛け渡された図示しないステーにより支持され、後述するように後縁下部５ｆをベース１に螺子止め固定されるようになっている。
【００２６】
アキュームレータ固定具２１は板金からなり、図４で示すように、ベース１に螺子止め固定される矩形状に形成された下面部２１１と、同下面部２１１の後端縁から垂直状に折曲された垂直部２１２と、同垂直部２１２の上端縁から水平方向に折曲された上面部２１３とからなる断面コ字状に形成されている。アキュームレータ固定具２１がベース１に固定されると、アキュームレータ固定具２１は右側パネル５側が開放される断面コ字状になるように形成されたことにより、下面部２１１と垂直部２１２と上面部２１３とで囲まれた空間に配管が配置されても、側部配管カバー８を外すことにより、配管作業を円滑に行なえるようになっている。
【００２７】
下面部２１１の前縁は上方に向けて折曲され、複数の螺子孔２１１ｂを穿設した前縁フランジ２１１ａが設けられ、両側縁も上方に折曲されて側縁フランジ２１１ｃが設けられている。後述するようにベース１の螺子挿通孔１ｃに螺子が挿通され、前縁フランジ２１１ａの螺子孔２１１ｂに螺合することにより、アキュームレータ固定具２１はベース１に固定されるようになっている。また、上方に折曲された側縁フランジ２１１ｃにより下面部２１１の強度が補強されるようになっている。
【００２８】
垂直部２１２の両側縁も前方に向け折曲され、側縁フランジ２１２ａが形成されている。同側縁フランジ２１２ａにより垂直部２１２とともに、アキュームレータ固定具２１の垂直方向荷重に対する強度が向上するようになっている。
【００２９】
上面部２１３には、後部両側に一対のスリット２１３ｆが設けられるとともに、螺子孔２１３ｅを備えた固定フランジ２１３ｄが前部の切欠きにより下方に垂下して設けられている。また、前縁部中央は前方に向け延出されて水平状の支持片２１３ａが形成され、同支持片２１３ａの両側には、螺子孔２１３ｃを備えた前縁フランジ２１３ｂが下方に折曲されて形成されている。また、両側は下方に折曲されて側縁フランジ２１３ｇが形成されている。
【００３０】
断面コ字状に形成されたアキュームレータ固定具２１は、上記した、下面部２１１の側縁フランジ２１１ｃと垂直部２１２の側縁フランジ２１２ａ及び同側縁フランジ２１２ａと上面部２１３の側縁フランジ２１３ｇとが夫々互いに重なるように形成され、上下方向の圧縮応力に対し更に強度が増加するようになっている。また、後述するように、前縁フランジ２１３ｂと右側パネル５の下縁フランジ５ｂが螺子止めにより固定された際、前縁フランジ２１３ｂに掛かる応力を、側縁フランジ２１１ｃと側縁フランジ２１２ａと側縁フランジ２１３ｇとが夫々受け止めるようになっている。
【００３１】
アキュームレータ２０とアキュームレータ固定具２１との間には、アキュームレータ２０の底部を受けるアキュームレータ受け板２２が設けられるようになっている。同アキュームレータ受け板２２は矩形状に形成され、中央に円形状の配管挿通孔２２ａを穿設しており、アキュームレータ固定具２１の垂直部２１２側寄りに配置されるようになっている。これにより、アキュームレータ２０の荷重は上面部２１３の剛性が高い垂直部２１２側で支持され、アキュームレータ２０を安定して保持することができるようになっている。また、アキュームレータ受け板２２の両側縁には下方に垂下し、アキュームレータ固定具２１の上面部２１３に設けられた一対のスリット２１３ｆに対応する位置決め片２２ｂが設けられ、前縁には下方に垂下し、螺子挿通孔２２ｄを穿設した前縁フランジ２２ｃが設けられている。
【００３２】
アキュームレータ受け板２２の位置決め片２２ｂが、アキュームレータ固定具２１のスリット２１３ｆに挿入され、前縁フランジ２２ｃが螺子孔２１３ｅを備えた固定フランジ２１３ｄの前面に重なるように切欠きに挿入された後、図示しない螺子が前縁フランジ２２ｃの螺子挿通孔２２ｄに挿通されるとともに、螺子孔２１３ｅに螺合されることにより、アキュームレータ２０を載置するアキュームレータ受け板２２は、アキュームレータ固定具２１に固定されるようになっている。
【００３３】
次に、アキュームレータ固定具２１の固定及び本体の右側パネル５の構成について説明する。
本体を構成するベース１の周縁には、図５で示すように、上方に折曲された周縁フランジ１ｂが形成され、同周縁フランジ１ｂには複数の螺子挿通孔が穿設されており、アキュームレータ固定具２１の固定位置にも対応して螺子挿通孔１ｃが穿設されている。
【００３４】
アキュームレータ固定具２１がベース１の所定位置に配置され、周縁フランジ１ｂの螺子挿通孔１ｃに図示しない螺子が挿通されるとともに、アキュームレータ固定具２１の下面部２１１に備えられた前縁フランジ２１１ａの螺子孔２１１ｂに螺合することにより、アキュームレータ固定具２１はベース１に固定されるようになっている。
【００３５】
右側パネル５は、図５で示すように、本体の背面に廻り込んだ後縁下部に穿設された螺子挿通孔５ｆに図示しない螺子を挿通させベース１に螺子止め固定されるとともに、後端縁には、本体の吸込口を形成するワイヤ２３が掛止めされ、前縁上部を、前述したように仕切板１０との間に掛け渡されたステーにより支持されている。また、開口部を形成する右側パネル５の下縁部には、内方に一段凹んだ下縁フランジ５ｂが形成され、同下縁フランジ５ｂにはアキュームレータ固定具２１の上面部２１３に対応して被支持部５ｃが設けられている。同支持部５ｃは下縁フランジ５ｂより更に内方に凹部を形成する一方、矩形状の切欠き５ｄが形成されている。
【００３６】
アキュームレータ固定具２１がベース１上に固定された後、右側パネル５が上方から被着されると、アキュームレータ固定具２１の上面部２１３に形成された支持片２１３ａに、右側パネル５の被支持部５ｃに形成された切欠き５ｄが嵌合し、これにより、右側パネル５の折曲部近傍は、アキュームレータ固定具２１と、同アキュームレータ固定具２１を介してベース１に支持されるようになっている。
【００３７】
本実施例では、右側パネル５の背面を下方に延出して、図５で示すようにＡ部を形成し、同Ａ部の下端を前述したように螺子止めするとともに、ワイヤ２３を掛止めして右側パネル５の支持部としている。ここで右側パネル５はコストダウンにより右側パネル５を形成する板金の薄型化が行なわれる一方、大型化による重量増加により、右側パネル５に変形あるいは沈み込み現象が生じ易いが、アキュームレータ固定具２１が右側パネル５の折曲部近傍を支持することにより、変形あるいは下方への移動等の不具合発生を防止することができるようになっている。
【００３８】
次に、切欠き５ｄの両側に穿設された螺子挿通孔５ｅに、図示しない螺子を挿通させ、アキュームレータ固定具２１の上面部２１３に形成された前縁フランジ２１３ｂの螺子孔２１３ｃに螺合させることにより、右側パネル５の被支持部５ｃとアキュームレータ固定具２１の上面部２１３とは堅固に固定されるようになり、更に右側パネル５の重量増加による沈み込み現象を的確に防止することができるようになっている。
【００３９】
側面パネルとしての右側パネル５の自重による下方への沈み込みを的確に防止することにより、設置作業あるいはメンテナンス作業において、側部配管カバー８を本体から外し作業を行なっても、右側パネル５の被支持部５ｃをアキュームレータ固定具２１に支持され固定されていることにより、側部配管カバー８を本体に再び装着する際、右側パネル５を上方に持ち上げないと側部配管カバー８が嵌まらなかったり、あるいは側部配管カバー８の螺子挿通孔と右側パネル５の螺子孔とにズレが生じて装着作業に支障が生じるような不具合を防止することができるようになっている。
【００４０】
以上、説明したように、Ｌ字状に形成された右側パネル５の折曲部近傍をアキュームレータ固定具２１により支持し固定することにより、設置作業あるいはメンテナンス作業を円滑に行なうことができるようになっている。また、既存部品としてのアキュームレータ固定具２１を利用することにより、新たな支持部材を不要として、室外機の組立コスト上昇を抑制することができるようになっている。
【符号の説明】
【００４１】
１  ベース
１ａ  脚体
１ｂ  周縁フランジ
１ｃ  螺子挿通孔
２  前面パネル
２ａ  上部吹出口
２ｂ  下部吹出口
３ａ、３ｂ  ファンガード
４  天板
４ａ  ビード
５  右側パネル
５ａ  係止孔
５ｂ  下縁フランジ
５ｃ  被支持部
５ｄ  切欠き
５ｅ  螺子挿通孔
６  サービスパネル
６ａ  手掛
７  前部配管カバー
８  側部配管カバー
１０  仕切板
１１  機械室
１２  熱交換器室
１３  圧縮機
１４  室外熱交換器
１５  送風ファン取付台
１６  上部プロペラファン
１７  下部プロペラファン
１８  電装ユニット
１９  操作弁ユニット
２０  アキュームレータ
２１  アキュームレータ固定具
２１１  下面部
２１１ａ  前縁フランジ
２１１ｂ  螺子孔
２１１ｃ  側縁フランジ
２１２  垂直部
２１２ａ  側縁フランジ
２１３  上面部
２１３ａ  支持片
２１３ｂ  前縁フランジ
２１３ｃ  螺子孔
２１３ｄ  固定フランジ
２１３ｅ  螺子孔
２１３ｆ  スリット
２２  アキュームレータ受け板
２２ａ  配管挿通孔
２２ｂ  位置決め片
２２ｃ  前縁フランジ
２２ｄ  螺子挿通孔
２３  ステー
【図１】
0005772371.tif 000002
【図２】
0005772371.tif 000003
【図３】
0005772371.tif 000004
【図４】
0005772371.tif 000005
【図５】
0005772371.tif 000006
【図６】
0005772371.tif 000007